【手続補正書】
【提出日】平成16年10月26日(2004.10.26)
【手続補正１】
【補正対象書類名】明細書
【補正対象項目名】発明の名称
【補正方法】変更
【補正の内容】
【発明の名称】情報処理装置、デバイス管理方法及び記憶媒体
【手続補正２】
【補正対象書類名】明細書
【補正対象項目名】特許請求の範囲
【補正方法】変更
【補正の内容】
【特許請求の範囲】
【請求項１】
デバイスを管理する情報処理装置であって、デバイスの情報または状態を通知するイベント通知の登録の要求を受け付ける管理手段と、デバイスからのイベント通知を取得する取得手段と、上記取得手段により取得されたイベント通知を、イベント通知の登録の要求元に、配信する配信手段とを有することを特徴とする情報処理装置。
【請求項２】
イベント通知を通信するためのポートを確立する確立手段を有し、上記確立手段によりポートが確立された場合、ポートが確立された装置を管理する管理部に、ポートが確立された旨を通知する通知手段を有することを特徴とする請求項１記載の情報処理装置。
【請求項３】
上記通知手段は、上記確立手段によりポートが確立されなかった場合、上記管理部に、ポートが確立されなかった旨を通知することを特徴とする請求項２記載の情報処理装置。
【請求項４】
上記管理部は、要求に応じて、上記管理手段を識別する情報を要求元に送信することを特徴とする請求項２又は３記載の情報処理装置。
【請求項５】
上記取得手段は、上記確立手段により確立されたポートを介して、デバイスからのイベント通知を受信することを特徴とする請求項１乃至４のいずれか１項に記載の情報処理装置。
【請求項６】
デバイスを管理するデバイス管理方法であって、デバイスの情報または状態を通知するイベント通知の登録の要求を受け付けて、デバイスからのイベント通知を、イベント通知の登録の要求元に、配信する管理部を装置で起動させることを特徴とするデバイス管理方法。
【請求項７】
上記管理部は、イベント通知を通信するためのポートを確立することを特徴とする請求項６記載のデバイス管理方法。
【請求項８】
ポートを確立した旨の通知に応じて、ポートを確立した管理部を識別することを特徴とする請求項７記載のデバイス管理方法。
【請求項９】
要求に応じて、ポートが確立された上記管理部を識別する情報を要求元に送信することを特徴とする請求項８記載のデバイス管理方法。
【請求項１０】
上記管理部は、確立されたポートを介して、デバイスからのイベント通知を受信することを特徴とする請求項６乃至９のいずれか１項に記載のデバイス管理方法。
【請求項１１】
ネットワーク上のデバイスを管理する情報処理装置であって、上記デバイスに対してイベント通知登録することで上記デバイスからのイベント通知を受信して上記デバイスのイベント通知の要求先へ配信する際に、当該装置のイベント受信用ポートが既に使用済みである場合、上記イベント受信ポートを使用していない装置或いはシステムを介して、上記デバイスのイベント通知を受信して配信する手段を備えることを特徴とする情報処理装置。
【請求項１２】
ネットワーク上のデバイスを管理する情報処理装置であって、上記デバイスからのイベント通知を受信して、上記デバイスのイベント通知の複数の要求先へ一括配信する手段を備えることを特徴とする情報処理装置。
【請求項１３】
分散ネットワーク環境におけるデバイスを管理する情報処理装置であって、上記デバイスの情報の取得及び設定の少なくとも何れかを実行するデバイス情報取得設定手段と、上記デバイス情報取得設定手段を管理するデバイス情報取得設定管理手段と、上記デバイスを探索するデバイス探索手段と、上記デバイス情報取得設定手段、上記デバイス情報取得設定管理手段、及び上記デバイス探索手段の利用による外部からの制御指示を受け付ける制御受付手段と、上記デバイスで発生したイベントを処理するデバイスイベント処理手段と、上記デバイス情報取得設定手段、上記デバイス情報取得設定管理手段、上記デバイス探索手段、上記制御受付手段、及び上記デバイスイベント処理手段を接続する接続手段とを備えることを特徴とする情報処理装置。
【請求項１４】
ネットワーク上のデバイスを管理するためのデバイス管理方法であって、上記デバイスに対してイベント通知用のポートをオープンするオープンステップと、上記オープンステップによりオープンされたポートから上記デバイスのイベント通知を受信する受信ステップと、上記受信ステップによる受信イベント通知を、上記デバイスのイベント通知の要求先へ配信する配信ステップとを含み、上記受信ステップは、上記オープンステップにおける対象ポートが既にオープン済みである場合、当該オープンした側を介して、上記デバイスのイベント通知を受信するステップを含むことを特徴とするデバイス管理方法。
【請求項１５】
ネットワーク上のデバイスを管理するためのデバイス管理方法であって、上記デバイスのイベント通知の要求先を登録する登録ステップと、上記デバイスからのイベント通知を受信する受信ステップと、上記受信ステップによる受信イベント通知を、上記登録ステップによる登録要求先に対して一括配信する配信ステップとを含むことを特徴とするデバイス管理方法。
【請求項１６】
分散ネットワーク環境におけるデバイスを管理するためのデバイス管理方法であって、上記デバイスの情報の取得及び設定の少なくとも何れかを実行するデバイス情報取得設定ステップと、上記デバイス情報取得設定手段を管理するデバイス情報取得設定管理ステップと、上記デバイスを探索するデバイス探索ステップと、上記デバイス情報取得設定ステップ、上記デバイス情報取得設定管理ステップ、及び上記デバイス探索ステップの利用によるユーザからの制御指示を受け付けるユーザ制御受付ステップと、上記デバイスで発生したイベントを処理するデバイスイベント処理ステップと、上記デバイス情報取得設定ステップ、上記デバイス情報取得設定管理ステップ、上記デバイス探索ステップ、上記ユーザ制御受付ステップ、及び上記デバイスイベント処理ステップを接続する接続ステップとを含むことを特徴とするデバイス管理方法。
【請求項１７】
請求項１乃至５のいずれか１項又は請求項１１乃至１３のいずれか１項に記載の情報処理装置の機能をコンピュータに実現させるためのプログラムを記録したコンピュータ読取可能な記憶媒体。
【請求項１８】
請求項６乃至１０のいずれか１項又は請求項１４乃至１６のいずれか１項に記載のデバイス管理方法の処理ステップをコンピュータに実行させるためのプログラムを記録したコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、例えば、ネットワーク上に接続されたデバイスを管理するための装置或いはシステムに用いられる、情報処理装置、デバイス管理方法、及びそれを実施するためのプログラムを記憶したコンピュータ読取可能な記憶媒体に関するものである。
【手続補正４】
【補正対象書類名】明細書
【補正対象項目名】００１４
【補正方法】変更
【補正の内容】
【００１４】
そこで、本発明は、上記の欠点を除去するために成されたもので、デバイスからのイベント通知を一括して扱うことが可能であり、イベント通知に関わるデバイスのパフォーマンスの劣化を防ぐことが可能な、情報処理装置、デバイス管理方法、及びそれを実施するためのプログラムを記憶したコンピュータ読取可能な記憶媒体を提供することを目的とする。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】変更
【補正の内容】
【００３２】
第１４の発明は、ネットワーク上のデバイスを管理するためのデバイス管理方法であって、上記デバイスに対してイベント通知用のポートをオープンするオープンステップと、上記オープンステップによりオープンされたポートから上記デバイスのイベント通知を受信する受信ステップと、上記受信ステップによる受信イベント通知を、上記デバイスのイベント通知の要求先へ配信する配信ステップとを含み、上記受信ステップは、上記オープンステップにおける対象ポートが既にオープン済みである場合、当該オープンした側を介して、上記デバイスのイベント通知を受信するステップを含むことを特徴とする。
【手続補正１０】
【補正対象書類名】明細書
【補正対象項目名】００３３
【補正方法】変更
【補正の内容】
【００３３】
第１５の発明は、ネットワーク上のデバイスを管理するためのデバイス管理方法であって、上記デバイスのイベント通知の要求先を登録する登録ステップと、上記デバイスからのイベント通知を受信する受信ステップと、上記受信ステップによる受信イベント通知を、上記登録ステップによる登録要求先に対して一括配信する配信ステップとを含むことを特徴とする。
【手続補正１１】
【補正対象書類名】明細書
【補正対象項目名】００３４
【補正方法】変更
【補正の内容】
【００３４】
第１６の発明は、分散ネットワーク環境におけるデバイスを管理するためのデバイス管理方法であって、上記デバイスの情報の取得及び設定の少なくとも何れかを実行するデバイス情報取得設定ステップと、上記デバイス情報取得設定手段を管理するデバイス情報取得設定管理ステップと、上記デバイスを探索するデバイス探索ステップと、上記デバイス情報取得設定ステップ、上記デバイス情報取得設定管理ステップ、及び上記デバイス探索ステップの利用によるユーザからの制御指示を受け付けるユーザ制御受付ステップと、上記デバイスで発生したイベントを処理するデバイスイベント処理ステップと、上記デバイス情報取得設定ステップ、上記デバイス情報取得設定管理ステップ、上記デバイス探索ステップ、上記ユーザ制御受付ステップ、及び上記デバイスイベント処理ステップを接続する接続ステップとを含むことを特徴とする。
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】変更
【補正の内容】
【００３８】
第１７の発明は、上記第１乃至第５の発明のいずれか又は上記第１１乃至第１３の発明のいずれかに記載の情報処理装置の機能をコンピュータに実現させるためのプログラムをコンピュータ読取可能な記憶媒体に記録したことを特徴とする。
【手続補正１６】
【補正対象書類名】明細書
【補正対象項目名】００３９
【補正方法】変更
【補正の内容】
【００３９】
第１８の発明は、上記第６乃至第１０の発明のいずれか又は上記第１４乃至第１６のいずれかに記載のデバイス管理方法の処理ステップをコンピュータに実行させるためのプログラムをコンピュータ読取可能な記憶媒体に記録したことを特徴とする。
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】